【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
金属筐体と、前記金属筐体の上部を覆う耐熱ガラスで形成された天板と、前記金属筐体に内蔵された加熱コイルと、前記加熱コイルを駆動する制御回路と、前記天板上面の操作部を指で触って前記加熱コイルの駆動を制御するため前記操作部の前記天板下面に形成されかつ前記制御回路に接続される電極とを備え、前記天板下面で前記電極と加熱コイルとの間に位置するシールド部と、前記金属筐体と前記シールド部とを電気的に接続する接続部材とを備えた誘導加熱装置。
【請求項２】
電極を天板下面に印刷で形成した請求項１に記載の誘導加熱装置。
【請求項３】
シールド部を天板下面に印刷で形成した請求項１または２に記載の誘導加熱装置。
【請求項４】
シールド部と金属筐体とを着脱自在に電気的に接続した請求項１〜３のいずれか１項に記載の誘導加熱装置。
【手続補正２】
【補正対象書類名】明細書
【補正対象項目名】０００５
【補正方法】変更
【補正の内容】
【０００５】
前記従来の課題を解決するために本発明の誘導加熱装置は、調理等の誘導加熱中に加熱コイル近傍に位置する操作部と加熱コイルとの間にシールド部材を配置しシールド部材を接地するように構成したものである。
【手続補正３】
【補正対象書類名】明細書
【補正対象項目名】０００６
【補正方法】変更
【補正の内容】
【０００６】
これにより、調理等をしながら加熱の様子を確認しながら操作部を操作することができるように加熱コイル近傍に操作部を配置しても、雑音等で誤動作せず正確に応答する操作部が得られる。
【手続補正４】
【補正対象書類名】明細書
【補正対象項目名】０００７
【補正方法】変更
【補正の内容】
【０００７】
本発明の誘導加熱装置は、金属筐体と、前記金属筐体の上部を覆う耐熱ガラスで形成された天板と、前記金属筐体に内蔵された加熱コイルと、前記加熱コイルを駆動する制御回路と、前記天板上面の操作部を指で触って前記加熱コイルの駆動を制御するため前記操作部の前記天板下面に形成されかつ前記制御回路に接続される電極とを備え、前記天板下面で前記電極と加熱コイルとの間に位置するシールド部と、前記金属筐体と前記シールド部とを電気的に接続する接続部材とを設けることにより、誤動作の起こらない性能の安定を実現できるものである。
【手続補正５】
【補正対象書類名】明細書
【補正対象項目名】０００８
【補正方法】変更
【補正の内容】
【０００８】
第１の発明は、金属筐体と、前記金属筐体の上部を覆う耐熱ガラスで形成された天板と、金属筐体に内蔵された加熱コイルと、前記加熱コイルを駆動する制御回路と、前記天板上面の操作部を指で触って前記加熱コイルの駆動を制御するため前記操作部の前記天板下面に形成されかつ前記制御回路に接続される電極とを備え、前記天板下面で前記電極と加熱コイルとの間に位置するシールド部と、前記金属筐体と前記シールド部とを電気的に接続する接続部材とを備えた構成としたものであり、加熱コイルからの雑音を、加熱コイルと電極との間に配置されたシールド部で接地して遮ることで、誘導加熱中に誤動作せず正確に応答する操作部を得ることができるという作用を有する。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
第２の発明は、電極を天板下面に印刷で形成した構成としたものであり、天板を穴開け等の加工をせずに静電容量の変化で操作を検知する構成としたものであり、加熱コイルの近傍に操作部を配置しても誤動作せずに印刷等で簡単に天板に操作部を備えることができるという作用を有する。
【手続補正９】
【補正対象書類名】明細書
【補正対象項目名】００１２
【補正方法】変更
【補正の内容】
【００１２】
第３の発明は、シールド部を天板下面に印刷で形成した構成としたものであり、シールド部を天板の印刷時に同時に加工できて簡便な構成にできるという作用を有する。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
第４の発明は、シールド部と金属筐体とを着脱自在に接続したものであり、天板を金属筐体に組立てた場合には確実にシールド部を接地することができて分解等のサービス性も向上するという作用を有する。
【手続補正１４】
【補正対象書類名】明細書
【補正対象項目名】００３４
【補正方法】変更
【補正の内容】
【００３４】
（参考の形態１）
以下本発明の第１の参考の形態例について、図面を参照しながら説明する。図６において天板１２、取付板２３、取付面２４、ねじ穴２５、フック板２６、第１のシールド部４９、保護部５１、導電部５２、接触部５３、導電テープ５５は実施の形態１と同一形状であり同一名称と同一符号を使用する。
【手続補正１５】
【補正対象書類名】明細書
【補正対象項目名】００３８
【補正方法】変更
【補正の内容】
【００３８】
なお、実施の形態１において第１のシールド部４９を第１操作部４２近傍に設け、第２のシールド部５６を第２操作部４３近傍に設けたが、第１の加熱コイル３２や第２の加熱コイル３４近傍に設けてもよい。また、第１のシールド部４９と第２のシールド部５６とを導電性塗料を印刷して形成したが、別部品を天板１２下面近傍に配置してもよい。
【手続補正１６】
【補正対象書類名】明細書
【補正対象項目名】００４０
【補正方法】変更
【補正の内容】
【００４０】
以上のように本発明にかかる誘導加熱装置は、金属筐体と、前記金属筐体の上部を覆う耐熱ガラスで形成された天板と、前記金属筐体に内蔵された加熱コイルと、前記加熱コイルを駆動する制御回路と、前記天板上面の操作部を指で触って前記加熱コイルの駆動を制御するため前記操作部の前記天板下面に形成されかつ前記制御回路に接続される電極とを備え、前記天板下面で前記電極と加熱コイルとの間に位置するシールド部と、前記金属筐体と前記シールド部とを電気的に接続する接続部材とを設けることにより、誤動作が起こらず性能を安定させることが可能となるので家庭や業務用厨房で使用される加熱調理機器等の用途にも適用できる。
【手続補正１７】
【補正対象書類名】明細書
【補正対象項目名】００４１
【補正方法】変更
【補正の内容】
【００４１】
【図１】本発明の実施の形態１における誘導加熱装置のフック板近傍の部分斜視図
【図２】本発明の実施の形態１における誘導加熱装置の分解斜視図
【図３】本発明の実施の形態１における誘導加熱装置のフック板近傍の部分断面図
【図４】本発明の実施の形態１における誘導加熱装置の天板の下方からの平面図
【図５】本発明の実施の形態１における誘導加熱装置の第１のシールド部近傍の平面図
【図６】本発明の参考の形態１における誘導加熱装置の第１のシールド部近傍の平面図